(57)【要約】【課題】簡易構造で軽量でありながら釣糸巻取装置に適用され得る剛性を有し、しかも、「かせ」のホルダとして使用可能な釣糸用スプールの提供。【解決手段】この釣糸用スプール１０は、スプール本体１１と端面部材１２とを有する。これらは樹脂により一体的に形成され、所定の肉厚寸法に仕上げられる。スプール本体１１は、円筒部１３とフランジ部１４とを備え、端面部材１３は、平板部１９を有する。端面部材１２は、円筒部１３に嵌め込まれて固定される。円筒部１３は、テーパ状に形成される。フランジ部１４及び平板部１９には、軸挿通孔１５、２０が形成される。フランジ部１４及び平板部１９の外縁部には、段部１７、２３が形成される。【選択図】  図１
2005000151.tif 000002
【特許請求の範囲】
【請求項１】
肉厚寸法が０．８ｍｍ〜２．５ｍｍに設定され、釣糸が巻き取られるための円筒部及び当該円筒部の一端面に一体的に形成され、肉厚寸法が１．０ｍｍ〜２．５ｍｍに設定されたフランジ部を有するスプール本体と、
フランジ部と対向するように円筒部の他端面に着脱自在に設けられ、肉厚寸法が１．２ｍｍ〜２．２ｍｍに設定されたフランジを構成する端面部材とを備え、
スプール本体及び端面部材は、樹脂により構成され、
フランジ部及び端面部材のそれぞれの中心に釣糸巻取装置の巻取駆動軸が挿通されるキー溝付軸挿通孔が貫通形成されている釣糸用スプール。
【請求項２】
上記円筒部は、その外形寸法が上記端面部材側から漸次大きくなるようにテーパ状に形成されている請求項１に記載の釣糸用スプール。
【請求項３】
上記端面部材は、
上記円筒部の内側に嵌合される嵌合筒部と、当該嵌合筒部の端面に一体的に形成された平板部とを備える請求項１又は２に記載の釣糸用スプール。
【請求項４】
上記端面部材は、
上記円筒部の内側に螺合される嵌合筒部と、当該嵌合筒部の端面に一体的に形成された平板部とを備える請求項１又は２に記載の釣糸用スプール。
【請求項５】
上記端面部材の外径寸法は、
上記フランジ部の外径寸法の９０％〜９５％に設定されている請求項１ないし４のいずれかに記載の釣糸用スプール。
【請求項６】
上記端面部材に内径寸法が４．０ｍｍ〜１２．０ｍｍの貫通孔が複数形成されている請求項１ないし５のいずれかに記載の釣糸用スプール。
【請求項７】
上記端面部材及び上記フランジ部の外縁部に、径方向に切り欠かれた段部が形成されている請求項１ないし６のいずれかに記載の釣糸用スプール。
【発明の詳細な説明】
【０００１】
【発明の属する技術の分野】
この発明は、長尺の釣糸が巻回される釣糸用スプールの構造に関するものである。
【０００２】
【従来の技術及び発明が解決しようとする課題】
釣糸は、一般に定尺寸法（５０ｍ〜１５０ｍ程度）に切断され、これが釣糸用スプールに巻き取られた状態で販売され、使用される。釣糸は通常、釣糸巻取装置によって自動的に釣糸用スプールに巻き取られ、製品化される。釣糸用スプールは、一般にボビン状に形成されており、釣糸が巻き付けられる円筒部と、この両端部に設けられたフランジ部とを有する（例えば、特許文献１〜特許文献４参照）。
【０００３】
【特許文献１】
特開平１１−２２０９９０号公報
【特許文献２】
特開２０００−１５７１３４
【特許文献３】
特開２０００−３７１５５
【特許文献４】
特開２００２−１０１７９８
【０００４】
ところで、従来の釣糸用スプールでは、当該釣糸用スプールが釣糸巻取装置により回転駆動されることによって釣糸が巻き取られるようになっている。このため、釣糸用スプールの構造物としての剛性は、十分に高く設定されていた。具体的には、釣糸用スプールは、通常樹脂により成形されるが、高い剛性が確保されるために多くの量の樹脂が使用されており（いわゆる肉厚に形成されており）、しかも、上記円筒部と上記フランジ部とを連結する補強用リブが多数設けられること等によって複雑な形状を呈していた。そのため、従来の釣糸用スプールは、構造物としての強度という観点からは、いわゆるオーバークオリティの状態であった。
【０００５】
他方、最近においては、いわゆる「かせ」と称される釣糸が市販されている。この「かせ」は、定尺寸法が従来の釣糸よりも長く設定され（例えば６００ｍ等）、釣糸用スプールに巻き取られることなく、単純に巻回された状態でしかも簡易な包装で販売され、使用されるものである。
「かせ」は、その保存方法については使用者（釣人）の自由に委ねられているが、「かせ」を使用する釣人にとって、絡みつき等を防止して良好に保存するためには、釣糸用スプールが「かせ」の保存用ホルダーとして利用されれば、非常に便利である。
【０００６】
そこで、本発明の目的は、釣糸巻取装置を介して釣糸を巻き取るために必要且つ十分な剛性を備えつつ構造がきわめて簡単であり、しかも「かせ」の保存用ホルダとして使用することができる釣糸用スプールを提供することである。
【０００７】
【課題を解決するための手段】
（１）本願発明者は、前述のように従来の釣糸用スプールが強度的にオーバークオリティの状態であるとの知見を得たが、これは、本願発明者が釣糸巻取装置を用いて釣糸用スプールへの釣糸の巻き取りについて釣糸を巻き取るために必要なトルク及び釣糸に生じるテンションに関して研究を重ねた結果知り得た事実である。本願発明者は、この事実に基づいて、上記目的を達成できる新規な釣糸用スプールの構造を着想した。
【０００８】
（２）すなわち、本願に係る釣糸用スプールは、肉厚寸法が０．８ｍｍ〜２．５ｍｍに設定され、釣糸が巻き取られるための円筒部及び当該円筒部の一端面に一体的に形成され、肉厚寸法が１．０ｍｍ〜２．５ｍｍに設定されたフランジ部を有するスプール本体と、フランジ部と対向するように円筒部の他端面に着脱自在に設けられ、肉厚寸法が１．２ｍｍ〜２．２ｍｍに設定されたフランジを構成する端面部材とを備え、スプール本体及び端面部材は、樹脂により構成され、フランジ部及び端面部材のそれぞれの中心に釣糸巻取装置の巻取駆動軸が挿通されるキー溝付軸挿通孔が貫通形成されていることを特徴とするものである。
【０００９】
この構成によれば、釣糸用スプールは、上記各寸法に設定されたスプール本体及び端面部材から構成されるので、釣糸用スプールを構成するための樹脂の量が少なくなると共に、従来設けられていたリブ等が不要となるので、釣糸用スプールの構造がシンプルとなる。
しかも、スプール本体及び端面部材が上記各寸法に設定されることによって、釣糸用スプールは、十分な剛性（強度）を維持し、釣糸巻取装置により駆動されることによって釣糸を良好に巻き取ることができる。このとき、スプール本体のフランジ部及び端面部材にキー溝付軸挿通孔が設けられているから、釣糸巻取装置の巻取駆動軸は、このキー溝付軸挿通孔に挿通支持される。
【００１０】
また、端面部材は、スプール本体に対して着脱自在であるから、釣糸用スプールは、「かせ」のホルダーとして利用される。具体的には、端面部材がスプール本体から取り外されることによって、スプール本体の円筒部は、巻回された「かせ」に挿通され得る。これにより、「かせ」は、スプール本体に容易に支持される。その状態で端面部材が再びスプール本体に装着されることによって、当該「かせ」は、釣糸用スプールによって良好に保持保存される。
【００１１】
（３）上記円筒部は、その外形寸法が上記端面部材側から漸次大きくなるようにテーパ状に形成されているのが好ましい。
上記円筒部がテーパ状に形成されることにより、当該円筒部が「かせ」に円滑に挿入され、「かせ」は、釣糸用スプールに簡単に支持される。
【００１２】
（４）上記端面部材は、上記円筒部の内側に嵌合される嵌合筒部と、当該嵌合筒部の端面に一体的に形成された平板部とを備えて構成される。
この構成では、嵌合筒部が円筒部に嵌め込まれるだけで、簡単に端面部材がスプール本体に装着される。また、嵌合筒部と円筒部との嵌合が解除されるだけで、簡単に端面部材がスプール本体から取り外される。
【００１３】
（５）また、上記端面部材は、上記円筒部の内側に螺合される嵌合筒部と、当該嵌合筒部の端面に一体的に形成された平板部とを備えて構成される。
この構成では、嵌合筒部が所定方向（螺合方向）に回転されることによって円筒部にねじ込まれる。したがって、きわめて簡単且つ確実に端面部材がスプール本体に固定される。一方、端面部材が上記螺合方向と逆方向に回転されることによって、端面部材は、きわめて簡単にスプール本体から取り外される。
【００１４】
（６）上記端面部材の外径寸法は、上記フランジ部の外径寸法の９０％〜９５％に設定されているのが好ましい。
この構成では、端面部材の外径寸法がスプール本体のフランジ部の外径寸法よりも小さく設定される。したがって、釣糸用スプールが釣り場等に載置され、転動したときに、当該釣糸用スプールは、端面部材側に傾斜し、転倒する。つまり、釣糸用スプールが転動し続けることなく、速やかに転倒するので、釣り場等で釣糸用スプールを紛失するおそれが少なくなる。
【００１５】
（７）上記端面部材に内径寸法が４．０ｍｍ〜１２．０ｍｍの貫通孔が複数形成されているのが好ましい。
この構成では、貫通孔が設けられることにより、釣糸用スプールはさらに軽量化されるという利点がある。しかも、スプール本体及び端面部材が上記寸法に設定されることから、端面部材に上記内径寸法の貫通孔が複数設けられていても釣糸用スプールの構造物として要求される剛性（強度）は確保される。
また、貫通孔が設けられることにより、当該貫通孔に釣人の指が挿通され得る。したがって、釣人は、端面部材を把持操作しやすいという利点がある。
【００１６】
（８）上記端面部材及び上記フランジ部の外縁部に、径方向に切り欠かれた段部が形成されているのが好ましい。
この構成では、釣糸用スプールが複数並設され、各釣糸用スプールに連続的に釣糸が巻き取られる際に、釣糸が段部に掛けられることによって隣り合う釣糸用スプールに円滑に巻き取られる。
しかも、この段部が形成されていることにより、釣糸用スプールが前述のように転動した場合に、より速やかに転倒するという利点もある。
【００１７】
【発明の実施の形態】
以下、本発明の実施の形態について説明される。
図１は、本発明の一実施形態に係る釣糸用スプール１０の斜視図である。また、図２は、釣糸用スプール１０の分解斜視図である。さらに、図３は、釣糸用スプール１０の分解断面図である。
この釣糸用スプール１０は、スプール本体１１と、端面部材１２とを有している。本実施形態に係る釣糸用スプール１０の特徴とするところは、同図が示すように、きわめてシンプルな構造である点、及び「かせ」のホルダとして再利用することができるようになっている点である。
【００１８】
スプール本体１１は、円筒部１３とフランジ部１４とを備えている。これらは、例えば合成樹脂により一体的に形成されている。
円筒部１３は、テーパ状に形成されている。具体的には、円筒部１３の先端部（端面部材１２側の端部）の外径寸法ｄ１は、５２．５ｍｍに設定されており、基端部（フランジ部１４側の端部）の外径寸法ｄ２は、５３．０ｍｍに設定されている。もっとも、円筒部１３の外径寸法はかかる寸法に限定されるものではなく、１／９０〜５／９０のテーパが形成されていれば、巻き取られる釣糸の太さに応じて種々設計変更され得るものである。
【００１９】
また、円筒部１３の肉厚寸法は、０．８ｍｍ〜２．５ｍｍに設定されている。この肉厚寸法とは、円筒部１３の先端部の肉厚寸法、すなわち円筒部１３の最小肉厚寸法を意味する。ただし、円筒部１３の肉厚寸法は、０．８ｍｍ〜２．０ｍｍに設定されるのが好ましく、さらに、１．０ｍｍ〜１．８ｍｍに設定されるのがより好ましい。
さらに、円筒部１３の軸方向寸法ａは、４．５ｍｍ〜９０ｍｍの範囲で適宜設定され得る。寸法ａがかかる範囲に設定されることにより、線径の大小にかかわらず、釣糸が巻き取られる。
加えて、円筒部１３の内壁面には、雌ねじ２４が形成されている。この雌ねじ２４は、端面部材１２を円筒部１３に取り付けるためのものである。
【００２０】
フランジ部１４は、円盤状に形成されている。フランジ部１４は、円筒部１３の基端部に設けられており、円筒部１３の径方向に延びている。フランジ部１４の外径寸法ｄ３は、５０ｍｍ〜１００ｍｍの範囲に設定され、肉厚寸法は、１．０ｍｍ〜２．５ｍｍに設定されている。ただし、この肉厚寸法は、１．０ｍｍ〜２．０ｍｍに設定されるのが好ましく、さらに、１．０ｍｍ〜１．８ｍｍに設定されるのがより好ましい。
また、フランジ部１４の外縁部には、段部１７が形成されている。この段部１７は、フランジ部１４の外縁部が径方向に切り欠かれることによって構成されている。
【００２１】
フランジ部１４の中央部には、キー溝付軸挿通孔（以下、単に「軸挿通孔」と称される。）１５が貫通形成されている。この軸挿通孔１５の中心は、上記円筒部１３の中心と一致している。軸挿通孔１５は、釣糸用スプール１０が釣糸巻取装置に装着される際に当該釣糸巻取装置の巻取駆動軸が挿通されるようになっている。しかも、軸挿通孔１５は、キー溝１６を備えており、このキー溝１６に上記巻取駆動軸に設けられたキーが嵌め込まれることによって、釣糸用スプール１０は、上記巻取駆動軸に位置決め固定されるようになっている。
【００２２】
端面部材１２は、上記円筒部１３の先端部に着脱自在に取り付けられている。端面部材１２が円筒部１３に取り付けられることによって、当該端面部材１２は、上記フランジ部１４と対向するフランジを構成する。つまり、端面部材１２が円筒部１３に取り付けられることによって、円筒部１３の両端部にフランジが形成された状態となる。
【００２３】
本実施形態では、端面部材１２は、円筒状に形成された嵌合筒部１８と、これに設けられた平板部１９とを有する。これらは、合成樹脂により一体的に形成されている。
嵌合筒部１８の外径寸法は、上記円筒部１３の内径寸法に対応されている。また、嵌合筒部１８の肉厚寸法は、１．２ｍｍ〜２．２ｍｍに設定されている。ただし、この肉厚寸法は、１．２ｍｍ〜２．０ｍｍに設定されるのが好ましく、さらに、１．２ｍｍ〜１．８ｍｍに設定されるのがより好ましい。
加えて、嵌合筒部１８の外周面には、雄ねじ２５が形成されている。この雄ねじ２５は、上記円筒部１３に形成された雌ねじ２４と螺合することができるようになっている。
【００２４】
平板部１９は、円盤状に形成されており、その外径寸法ｄ４は、４５ｍｍ〜９５ｍｍに設定されている。すなわち、平板部１９の外径寸法ｄ４は、上記フランジ部１４の外径寸法ｄ３よりも小さく設定されており、具体的には、ｄ３×０．９≦ｄ４≦ｄ３×０．９５の関係がある。また、この平板部１９の肉厚寸法は、１．２ｍｍ〜２．２ｍｍに設定されている。ただし、この肉厚寸法は、１．２ｍｍ〜２．０ｍｍに設定されるのが好ましく、さらに、１．２ｍｍ〜１．８ｍｍに設定されるのがより好ましい。
加えて、平板部１９の外縁部には、段部２３が形成されている。この段部２３は、上記フランジ部１４に設けられた段部１７と同様の構成であり、平板部１９の外縁部が径方向に切り欠かれることによって形成されている。
【００２５】
平板部１９の中央部には、キー溝付軸挿通孔（以下、単に「軸挿通孔」と称される。）２０が貫通形成されている。この軸挿通孔２０の中心は、上記円筒部１３の中心と一致している。軸挿通孔２０は、釣糸用スプール１０が釣糸巻取装置に装着される際に当該釣糸巻取装置の巻取駆動軸が挿通されるようになっている。しかも、軸挿通孔２０は、キー溝２１を備えており、このキー溝２１に上記巻取駆動軸に設けられたキーが嵌め込まれることによって、釣糸用スプール１０は、上記巻取駆動軸に位置決め固定されるようになっている。
加えて、平板部１９には、複数の貫通孔２２が設けられている（図１及び図２参照）。本実施形態では、貫通孔２２は、４個設けられている。ただし、貫通孔２２の数は、特に限定されるものではない。
【００２６】
本実施形態に係る釣糸用スプール１０は、スプール本体１１の円筒部１３に端面部材１２の嵌合筒部１８がねじ込まれることによって組み立てられる。すなわち、釣糸用スプール１０は、スプール本体１１及び端面部材１２から構成されており、しかも、これらが前述の各寸法に設定されているから、釣糸用スプール１０を構成するための樹脂の量は、従来に比べて少なくなる。また、従来の釣糸用スプールに設けられていたリブ等が不要となるので、釣糸用スプール１０の構造がきわめてシンプルである。
さらに、スプール本体１１及び端面部材１２が上記各寸法に設定されることによって、釣糸用スプール１０は、十分な剛性（強度）を維持することができるから、釣糸巻取装置の巻取駆動軸に挿通保持されることによって、釣糸を良好に巻き取ることができる。
【００２７】
また、端面部材１２がスプール本体１１に対して着脱自在であるから、釣糸用スプール１０は、「かせ」のホルダーとして利用される。すなわち、釣糸用スプール１０に巻き取られた釣糸がすべて使用された後には、端面部材１２がスプール本体１１から取り外されることによって、「かせ」がスプール本体１１の円筒部１３に挿通され、支持される。その状態で端面部材１２が再びスプール本体１１に装着されることによって、当該「かせ」は、釣糸用スプール１０によって良好に保持保存される。
【００２８】
このように、本実施形態に係る釣糸用スプール１０は、少量の樹脂によって軽量且つ高剛性であると共に、「かせ」のホルダーとして利用される。その結果、従来ではゴミとして扱われていた釣糸用スプールが有効利用されるうえ、全体としてゴミの発生が抑制されると共に資源の消費が抑えられる。
また、端面部材１２に複数の貫通孔２２が設けられているから、釣糸用スプール１０はさらに軽量化されるという利点がある。さらに、貫通孔２２が設けられることにより、釣人は、この貫通孔２２に指を挿入することが可能である。したがって、端面部材１２を回転させやすく、端面部材１２は、容易に着脱される。
【００２９】
しかも、スプール本体１１及び端面部材１２が前述の寸法（外径寸法、肉厚寸法）に設定されることから、端面部材１２に複数の貫通孔２２が設けられた場合であっても、釣糸用スプール１０の構造物として要求される剛性（強度）は確保される。
なお、この貫通孔２２は、フランジ部１４側にも設けられていてもよい。その場合には、釣糸用スプール１０のさらなる軽量化が実現される。もっとも、これら貫通孔２２は、省略されていてもよいことは勿論である。
【００３０】
特に、本実施形態では、上記円筒部１３がテーパ状に形成されているので、「かせ」が保持される際に、円筒部１３が「かせ」に円滑に挿入され、「かせ」は、釣糸用スプール１０に簡単且つ迅速に支持されるという利点がある。
また、端面部材１２は、嵌合筒部１８が円筒部１３にねじ込まれるだけでスプール本体１１に固定されるから、端面部材１２の着脱作業がきわめて簡単である。したがって、釣糸用スプール１０の組み立て、分解が迅速に行われ、釣糸用スプール１０が「かせ」のホルダとして利用される場合に、その使い勝手が非常に良いという利点がある。
【００３１】
なお、本実施形態では、端面部材１２がスプール本体１１に螺合されることによって取り付けられるが、端面部材１２が他の手段によりスプール本体１１に取り付けられていてもよい。例えば、端面部材１２の嵌合筒部１８が単にスプール本体１１の円筒部１３に嵌合されていてもよい。この場合、嵌合筒部１８の外径と円筒部１３の内径との間に所定のはめあいが設定されることにより、端面部材１２が確実にスプール本体１１に装着されると共に、取り外しが可能となる。
【００３２】
さらに、端面部材１２の外径寸法ｄ４がフランジ部１４の外径寸法ｄ３に対して前述の関係にあるから、端面部材１２の外径寸法ｄ４がフランジ部１４の外径寸法ｄ３よりも常に小さく設定される。したがって、釣糸用スプール１０が釣り場等に載置され、転動したときに、当該釣糸用スプール１０は、端面部材１２側に傾斜し、転倒する。つまり、釣糸用スプール１０が転動し続けることなく、速やかに転倒するので、釣り場等で釣糸用スプール１０を紛失するおそれが少なくなる。
【００３３】
加えて、端面部材１２及びフランジ部１４の外縁部にそれぞれ上記段部１７、２３が形成されているから、釣糸用スプール１０が複数並設され、各釣糸用スプール１０に連続的に釣糸が巻き取られる際に、釣糸が段部１７、２３に掛けられることによって隣り合う釣糸用スプール１０に円滑に巻き取られる。しかも、この段部１７、２３が形成されていることにより、釣糸用スプール１０が前述のように転動した場合に、より速やかに転倒するという利点もある。
【００３４】
次に、本実施形態の変形例について説明される。
図４は、本実施形態の変形例に係る釣糸用スプール３０の分解断面図である。この変形例に係る釣糸用スプール３０が上記釣糸用スプール１０と異なるところは、上記実施形態に係る釣糸用スプール１０では、前述のように、スプール本体１１の円筒部１３がテーパ状に形成されていたのに対し、本変形例に係る釣糸用スプール３０では、円筒部３１が真直な円筒状に形成されている点である。なお、その他の構成については、上記釣糸用スプール１０と同様である。
【００３５】
この釣糸用スプール３０では、上記円筒部３１が真直な円筒状に形成されているので、釣糸巻取装置によって釣糸が巻き取られる際に、釣糸の整列配置が容易に実現される。また、釣糸用スプール３０の構造がさらに簡略化され、釣糸用スプール３０の製造コストが低減されるという利点もある。
加えて、本実施形態及び変形例では、上記フランジ部１４及び端面部材１２の平板部１９は円形に形成されているが、これらは四角形、六角形等、多角形状に形成されていてもよいことは勿論である。
【００３６】
【発明の効果】
以上のように本発明によれば、「かせ」のホルダーとして利用され得る軽量且つ高剛性の釣糸用スプールが実現される。すなわち、釣糸用スプールを構成する材料としての樹脂が少量となり、釣糸用スプールは、少ない樹脂量で十分な剛性を備えることができる。しかも、従来ではゴミとして扱われていた釣糸用スプールが「かせ」用ホルダとして有効利用されるので、全体としてゴミの発生が抑制されると共に資源の消費が抑えられるという効果がある。
【図面の簡単な説明】
【図１】図１は、本発明の一実施形態に係る釣糸用スプールの斜視図である。
【図２】図２は、本発明の一実施形態に係る釣糸用スプールの分解斜視図である。
【図３】図３は、本発明の一実施形態に係る釣糸用スプールの分解断面図である。
【図４】図４は、本発明の一実施形態の変形例に係る釣糸用スプールの分解断面図である。
【符号の説明】
１０  釣糸用スプール
１１  スプール本体
１２  端面部材
１３  円筒部
１４  フランジ部
１５  キー溝付軸挿通孔
１６  キー溝
１７  段部
１８  嵌合筒部
１９  平板部
２０  軸挿通孔
２１  キー溝
２２  貫通孔
２３  段部
２４  雌ねじ
２５  雄ねじ
３０  釣糸用スプール
３１  円筒部
【図１】
2005000151.tif 000003
【図２】
2005000151.tif 000004
【図３】
2005000151.tif 000005
【図４】
2005000151.tif 000006